(57)【要約】【課題】シップ薬を所望の部位に確実に貼り付けることができる、シップ薬貼り付け補助具を提供する。【解決手段】シップ薬を患部に貼り付けるための補助具１であって、シップ薬本体５を保持できるとともに、弾性伸縮可能な帯状ベース部２と、上記帯状ベース部の両端部に連結された操作部３，３と上記シップ薬の貼着面５ａを覆うように延出させられるとともに、上記操作部を操作して上記帯状ベース部を伸張させることにより上記シップ薬本体に沿って移動させられ、上記貼着面を露出させる保護部材４，４とを備えて構成される。【選択図】図４
2007135850.tif 000002
【特許請求の範囲】
【請求項１】
シップ薬を患部に貼り付けるための補助具であって、
シップ薬本体を保持できるとともに、弾性伸縮可能な帯状ベース部と、
上記ベース部の両端部に連結された操作部と、
上記シップ薬の貼着面を覆うように延出させられるとともに、上記操作部を操作して上記帯状ベース部を伸張させることにより上記シップ薬本体に沿って移動させられ、上記貼着面を露出させる保護部材とを備える、シップ薬貼り付け補助具。
【請求項２】
上記帯状ベース部に、上記シップ薬本体を保持できる保持手段を設けた、請求項１に記載のシップ薬貼り付け補助具。
【請求項３】
上記保持手段は、上記シップ薬本体の裏面に作用する粘着シートを備えて構成される、請求項２に記載のシップ薬貼り付け補助具。
【請求項４】
上記操作部は、上記保護部材を設けた側に湾曲して延びるアーム状に形成されている、請求項１から請求項３のいずれかに記載のシップ薬貼り付け補助具。
【請求項５】
上記帯状ベース部の一端部に、使用者が握持できる握持部を備える操作部を設ける一方、
上記帯上記ベース部の他端部に、器物に掛止できる掛止手段を備える操作部を設けた、請求項１から請求項４のいずれかに記載のシップ薬貼り付け補助具。
【請求項６】
上記保護部材に、上記貼着面に対する剥離手段を設けた、請求項１から請求項５のいずれかに記載のシップ薬貼り付け補助具。
【請求項７】
上記剥離手段は、上記保護部材の表面に、シップ薬貼着面との粘着力を低減させる加工を施して構成されている、請求項６に記載のシップ薬貼り付け補助具。
【請求項８】
上記剥離手段は、上記保護部材の離脱方向に伸びる凸条を備えて構成されている、請求項６又は請求項７のいずれかに記載のシップ薬貼り付け補助具。
【請求項９】
剥離紙を備えるシップ薬を患部に貼着するためのシップ薬貼り付け補助具であって、
シップ薬を保持できる弾性伸縮可能な帯状ベース部と、
上記ベース部の両端部に連結された操作部と、
上記操作部の端部から上記ベース部に保持されたシップ薬の縁部に向けて延出させられるとともに、上記剥離紙の縁部に係合できる係合手段とを備え、
シップ薬貼り付け位置において、上記操作部を操作して上記帯状ベース部を伸張させるとともに、上記剥離紙をシップ薬の貼着面に沿って移動させることにより、上記貼着面を露出させるように構成した、シップ薬貼り付け補助具。
【請求項１０】
上記係合手段は、上記剥離紙の縁部を挟持できるように構成されている、請求項９に記載のシップ薬貼り付け補助具。
【請求項１１】
上記係合手段は、上記剥離紙の縁部に設けた剥離紙側係合手段に係合できるように構成されている、請求項９又は請求項１０のいずれかに記載のシップ薬貼り付け補助具。
【請求項１２】
上記剥離紙をシップ薬本体の縁部に沿って延出させるとともに、この延出部に係合穴を設ける一方、
上記操作部に、上記係合穴に係合する係合突起を備える係合手段を設けた、請求項１１に記載のシップ薬貼り補助具。
【請求項１３】
上記一方の操作部に、手指で握持できる握持部を設ける一方、
上記他方の操作部に、器物に掛止できる掛止手段を設けた、請求項９から請求項１２に記載のシップ薬貼り付け補助具。
【請求項１４】
剥離紙を備えるシップ薬であって、
上記剥離紙の対向縁部を、シップ薬本体の縁部から延出させるとともに、この延出部にシップ薬貼り付け補助具の係合部に係合できる剥離紙側係合手段を設けた、シップ薬。
【請求項１５】
上記剥離紙は、シップ薬本体の貼着面に添着される剥離部と、この剥離部の一方の縁部から一体的に延出して、上記剥離部の表面側に折り重ねられた牽引部とを備え、上記牽引部の縁部に、上記剥離紙側係合手段を設けた、請求項１４に記載のシップ薬。
【請求項１６】
シップ薬を患部に貼着する方法であって、
シップ薬本体を、少なくとも一端部に操作部が連結された弾性伸縮可能な帯状ベース部に保持するとともに、上記シップ薬の貼着面を保護部材又は剥離紙によって隠蔽する一方、
上記操作部を操作して上記帯状ベース部を伸張させるとともに、上記保護部材又は剥離紙を上記貼着面に沿って移動させることにより、上記貼着面を露出させて上記シップ薬を患部に貼り付ける、シップ薬の貼り付け方法。
【発明の詳細な説明】
【技術分野】
【０００１】
本願発明は、シップ薬貼り付け補助具、シップ薬及びシップ薬の貼り付け方法に関する。詳しくは、背中等の手の届かない患部に、シップ薬を容易に貼り付けることができるシップ薬貼り付け補助具等に関する。
【背景技術】
【０００２】
シップ薬を背中等の手の届かない患部に貼り付けるために種々の補助具が考案されている。
【０００３】
【特許文献１】特開２００１−３４０４７０
【特許文献２】特開２００４−１８８１４５
【０００４】
上記特許文献１に記載されている器具は、湾曲した把手の先端部に平板を設け、この平板にシップ薬を保持させ、上記把手を操作して背中等の患部にシップ薬を貼着できるように構成されている。
【０００５】
上記特許文献２に記載されている器具は、先端部にシップ薬を挟んで保持できるとともに剥離紙を掴むことのできる器具を設けたへら状の先端部と、この先端部から延出する長尺状の柄部とを備えて構成されている。
【０００６】
上記柄を操作して上記先端部に保持したシップ薬を手の届かない患部にあてて、肌に沿って引くことにより剥離紙を剥がしてシップ薬を貼り付けることができるように構成されている。
【発明の開示】
【発明が解決しようとする課題】
【０００７】
上記特許文献１に記載されている器具では、湾曲した把手の形状によって、シップ薬を貼り付けることができる患部が限られる。また、シップ薬を保持した部分を背中等の目の届かない部位に正確に位置させるのは極めて困難である。しかも、シップ薬は剥離紙が除去された状態で保持されているため、一旦皮膚に接触すると位置を変更することはできない。したがって、貼り付けに失敗することが多い。
【０００８】
上記特許文献２に記載されている器具は、剥離紙を剥がしながらシップ薬を貼着することができるため失敗は少ないと思われる。しかしながら、剥離紙を剥がすために棒状の柄を皮膚に沿って移動させるのは極めて困難ある。このため、操作に熟練を要するばかりでなく、高齢者が取り扱うのは困難である。また、特許文献１に記載した発明と同様に、適用できる患部も限られる。
【０００９】
本願発明は、上述の課題を解決するために案出されたものであって、上記従来の問題を解決し、シップ薬を所望の部位に確実に貼り付けることができる、シップ薬貼り付け補助具を提供するものである。
【課題を解決するための手段】
【００１０】
本願の請求項１に記載した発明は、シップ薬を患部に貼り付けるための補助具であって、シップ薬本体を保持できるとともに、弾性伸縮可能な帯状ベース部と、上記ベース部の両端部に連結された操作部と、上記シップ薬の貼着面を覆うように延出させられるとともに、上記操作部を操作して上記帯状ベース部を伸張させることにより上記シップ薬本体に沿って移動させられ、上記貼着面を露出させる保護部材とを備えて構成される。
【００１１】
本願発明は、弾性伸縮可能な帯状ベース部にシップ薬を保持する。上記帯状ベース部を構成する材料は特に限定されることはない。たとえば、弾性伸縮可能な織物、樹脂製やゴム製シートのみならず、複数の板状部材を機械的に弾性伸縮できるように組付けて構成することもできる。
【００１２】
また、弾性伸縮する範囲も特に限定されることはない。たとえば、帯状ベース部材の長さをシップ薬より長く設定して、シップ薬を保持する部分を弾性伸縮しない材料で形成することもできる。
【００１３】
本願発明では、剥離紙を剥がしたシップ薬本体が、上記帯状ベース部と上記保護部材との間で保持される。シップ薬を、上記帯状ベース部材の所定位置に確実に保持するため、請求項２に記載した発明のように、上記帯状ベース部に、上記シップ薬本体を保持できる保持手段を設けることができる。上記保持手段として、面ファスナーや、請求項３に記載した発明のように、上記シップ薬本体の裏面に作用する粘着シートを備えて構成することができる。
【００１４】
上記操作部は、使用者の手指等で操作することにより、上記帯状ベース部を弾性伸張させるために設けられる。上記操作部の形態も特に限定されることはない。少なくとも一方の操作部を使用者が握持して、上記帯状ベース部を伸張させることができる形態であればよい。たとえば、請求項４に記載した発明のように、上記操作部の一方又は双方を、上記保護部材を設けた側に湾曲して延びるアーム状に形成することができる。
【００１５】
また、帯状ベース部の両端に連結される操作部を同じ形態にする必要はない。たとえば、請求項５に記載した発明のように、上記帯状ベース部の一端部に、使用者が握持できる握持部を備える操作部を設ける一方、上記帯上記ベース部の他端部に、器物に掛止できる掛止手段を備える操作部を設けることができる。上記掛止手段をフック状に形成して、家の柱や椅子の背凭れに掛止して、シップ薬の貼り付けを行うように構成することもできる。
【００１６】
本願発明では、上記保護部材をシップ薬の貼着面に沿って移動させることにより、上記貼着面を露出させることができるように構成している。すなわち、保護部材をシップ薬の貼着面上をスライドさせるようにして、貼着面を露出させるのである。これにより、患部に上記保護部材を接触させて貼り付け位置を確認した後に、貼着面を露出させて貼り付けることが可能となる。あるいは、患部に保護部材を接触させた状態で、上記保護部材を引き抜くようにしてシップ薬を貼り付けることが可能となる。このため、患部の正確な位置にシップ薬を貼り付けることがでるばかりでなく、貼り付けの失敗がなくなる。
【００１７】
上記保護部材は、シップ薬の粘着性のある貼着面上を移動させられる。したがって、請求項７に記載した発明のように、上記保護部材に、上記貼着面に対してスライド可能な剥離手段を設けるのが好ましい。種々の剥離手段を設けることができる。たとえば、請求項７に記載した発明のように、上記剥離手段として、上記保護部材の表面にシップ薬貼着面との粘着力を低減させる加工を施して構成することができる。具体的には、上記保護部材の表面に非粘着性の樹脂等をコーティングした非粘着加工を施すことができる。
【００１８】
また、請求項８に記載した発明のように、上記剥離手段として、上記保護部材の離脱方向に伸びる凸条を設けることができる。上記凸状を設けることにより、貼着面に対する接触面積が減少し、移動させやすくなる。
【００１９】
本願の請求項９に記載した発明は、剥離紙を備えるシップ薬を患部に貼着するためのシップ薬貼り付け補助具であって、シップ薬を剥離紙ととともに保持できる弾性伸縮可能な帯状ベース部と、上記ベース部の両端部に連結された操作部と、上記操作部の端部から上記ベース部に保持されたシップ薬の縁部に向けて延出させられるとともに、上記剥離紙の縁部に係合できる係合手段とを備え、シップ薬貼り付け位置において、上記操作部を操作して上記帯状ベース部を伸張させるとともに、上記剥離紙をシップ薬の貼着面に沿って移動させることにより、上記貼着面を露出させるように構成したものである。
【００２０】
本願発明は、請求項１から請求項８に記載した保護部材の代わりに剥離紙を利用するものである。本願発明に適用できる剥離紙は特に限定されることはないが、剥離紙を貼着面に沿って移動させる必要があるため、引っ張り強度の高いものを採用するのが好ましい。たとえば、厚手のフィルム状剥離紙を備えるシップ薬に適用するのが好ましい。また、剥離紙と貼着面との粘着力が強い場合には、一度剥離紙を剥がして再度付着させ、粘着力を減じてから帯状ベース部に装着することができる。また、貼着面全体を一体的に覆う一枚の剥離紙を、一方の係合部材に係合させて剥離させることもできるし、中央部分で分割された剥離紙を、両側からそれぞれ牽引して剥離させるように構成することもできる。
【００２１】
さらに、剥離紙を移動させる手法として、請求項１から請求項８に記載した発明に係る保護部材と同様に、剥離紙を貼着部に対してスライドさせるように一体的に移動させる手法と、剥離紙の縁部から折り返すようにして順次貼着面から剥がしていく手法とがある。本願発明に係るシップ薬貼り付け補助具は、上記いずれの手法にも適用することができる。なお、後者の手法を採用する場合は、剥離紙の折り返し部分が若干膨らんで患部を擦過する可能製があるため、薄手の剥離紙を採用するのが好ましい。
【００２２】
本願発明では、剥離紙の縁部に係合できる係合手段を設ける。上記係合手段は、剥離紙を粘着面に沿って牽引できるけように構成される。たとえば、請求項１０に記載した発明のように、上記係合手段として、上記剥離紙の縁部を挟持できるように構成することができる。具体的には、剥離紙の縁部を少し剥がして、弾性的に挟持できる機構を設けて構成することができる。
【００２３】
また、請求項１１に記載した発明のように、シップ薬の剥離紙自体の形態を変更し、剥離紙の縁部に上記係合手段に係合できる剥離紙側係合手段を設けることができる。たとえば、請求項１２に記載した発明のように、上記剥離紙をシップ薬本体縁部に沿って延出させるとともに、この延出部に剥離紙側係合手段として係合穴を設ける一方、上記操作部に、上記係合穴に係合する係合突起を備える係合手段を設けることができる。
【００２４】
本願の請求項１３に記載した発明は、上記一方の操作部に、手指で握持できる握持部を設ける一方、上記他方の操作部に、器物に掛止できる掛止手段を設けたものである。
【００２５】
本願の請求項１４に記載した発明は、剥離紙を備えるシップ薬に関するものであり、上記剥離紙の対向縁部を、シップ薬本体の縁部から延出させるとともに、この延出部にシップ薬貼り付け補助具の係合部に係合できる剥離紙側係合手段を設けたものである。本発明に係るシップ薬は、請求項１２に記載した発明に係るシップ薬貼り付け補助具と共働して効果を発揮する。上記係合穴の形態及び数は特に限定されることはなく、縁部の全長に沿う複数の係合穴を設けるのが好ましい。
【００２６】
本願の請求項１５に記載した発明は、剥離紙を備えるシップ薬に関するものであり、上記剥離紙を、シップ薬本体の貼着面に添着される剥離部と、この剥離部の一方の縁部から一体的に延出して、上記剥離部の表面側に折り重ねられた牽引部とを備えて構成し、上記牽引部の縁部に上記剥離紙側係合手段を設けたものである。
【００２７】
上述したように、上記剥離紙を移動させる手法として、剥離紙の全体を一度に貼着面に対してスライドさせるように対動させる手法と、剥離紙を折り返しながらシップ薬の貼着面から順次剥がして移動させる手法がある。本願発明に係るシップ薬貼り付け補助具は、上記いずれの手法にも用いることができる。請求項１５に記載した発明は、後者の手法に採用されるシップ薬に係るものである。
【００２８】
剥離紙を折り返しながら剥がしていく手法においては、上記牽引部自体を上記剥離紙係合手段として機能させることができる。また、シップ薬貼り付け補助具の係合部が貼着面上で移動させると患部を擦過する可能性があるため、上記牽引部をシップ薬本体の縁から延出させ、この延出部に上記剥離紙側係合手段を設けるのが好ましい。これにより、上記係合手段が患部上で移動させられることはなく、患部を傷める恐れもなくなる。
【００２９】
本願の請求項１６に記載した発明は、シップ薬を患部に貼着する方法であって、シップ薬本体を、少なくとも一端部に操作部が連結された弾性伸縮可能な帯状ベース部に保持するとともに、上記シップ薬の貼着面を保護部材又は剥離紙によって隠蔽する一方、上記操作部を操作して上記帯状ベース部を伸張させるとともに、上記保護部材又は剥離紙を上記貼着面に沿って移動させることにより、上記貼着面を露出させて上記シップ薬を患部に貼り付けるものである。
【発明を実施するための最良の形態】
【００３０】
以下、本願発明の実施の形態を図に基づいて具体的に説明する。
【００３１】
図１及び図２に示すように、本実施の形態に係るシップ薬貼り付け補助具１は、平面視において全体が弓状に形成されており、弾性伸縮可能な帯状ベース部２と、上記ベース部２の両端部に連結された操作部３，３と、シップ薬５の貼着面５ａを覆うように延出させられた保護部材４，４とを備えて構成されている。
【００３２】
上記帯状ベース部２は伸縮性のある織物で形成されており、図３に示すように、張力を作用させない自然状態で、ほぼ上記シップ薬５の幅方向寸法と同一の幅寸法で形成されている。なお、本実施の形態では、上記帯状ベース部２の長さが、上記シップ薬の長さ方向寸法とほぼ同一の長さに設定されているが、上記帯状ベース部２の長さを上記シップ薬の長さ方向寸法より長く設定することもできる。また、上記帯状ベース部を長く設定して、上記シップ薬の保持面のみを伸縮性のないシート等で形成することもできる。図２に示すように、上記帯状ベース部２には、上記シップ薬５を保持するための粘着シート７が設けられており、剥離紙を除去したシップ薬５が、上記帯状ベース部２に保持される。
【００３３】
上記操作部３は、上記帯状ベース部２の端部に金具８を用いて連結される板状の連結部９と、上記連結部から上記シップ薬５を装着した側に湾曲して伸びるアーム部３ａと、上記アーム部３ａの先端に設けられた握持部６とが樹脂で一体成形された形態を備えている。
【００３４】
上記保護部材４は、シップ薬５の中央部分で分割された形態を備えており、上記連結部９，９にインテグラルヒンジ１０，１０を介して回動可能に一体成形されている。また、図３に示すように、上記インテグラルヒンジ１０を介して上記帯状ベース部２から離間する方向に開動させることにより、シップ薬５を上記帯状ベース２に装着できるように構成されている。なお、本実施の形態では、上記保護部材を上記操作部３の連結部に一体成形したが、帯状ベース部材２の端部に連結することもできる。また、上記帯状ベース部材２の自然状態で、上記保護部材４，４の縁部に若干の隙間が形成されるように設定することもできる。
【００３５】
図４に示すように、上記シップ薬５は、上記ベース部材２と上記保護部材４の間に挟まれるようにして保持される。
【００３６】
図５から図７に基づいて、上記シップ薬貼り付け補助具１の使用方法を説明する。
【００３７】
図５に示すように、上記保護部材４がシップ薬５の貼着面５ａに添着された状態で、使用者１１の患部１１ａに位置させる。図５では、理解を容易にするため、シップ薬貼り付け補助具１を患部表面１１ａから離して描いているが、実際には、患部表面１１ａに接触させた状態で位置決めすることができる。本実施の形態では、上記保護部材４が貼着面５ａを覆っているため患部表面１１ａで移動させることができる。このため、貼り付け位置を容易に調節することができる。
【００３８】
図５に示す上記保護部材４，４が貼着面５ａを覆う状態から、上記操部３，３を離間する方向に操作して上記帯状ベース部２を伸張させると、図６に示すように、上記保護部材４，４が、連結部９に牽引されるようにして両側に移動させられる。上記保護部材４，４の移動にともなって上記貼着面５ａが中央部分から露出させられ、患部１１ａに貼着されていく。この状態で、上記帯状ベース部材２が、上記シップ薬５を患部１１ａに押圧する方向の力を作用させることができる。このため、シップ薬５を患部１１ａに保持した状態で、貼着面５ａを次第に露出させてシップ薬５を確実に貼着することができる。一方、上記保護部材４の移動にともなって、この保護部材４が患部１１ａと貼着部５ａの間に挟まれる部分の割合も減少していくため、上記保護部材４，４を容易に移動させることができる。
【００３９】
図７に示すように、上記操作部３，３をさらに離間させることにより、上記保護部材４，４が上記シップ薬５の貼着面５ａから完全に取り外され、シップ薬５の全体が患部１１ａに貼着される。しかも、上記の状態で、上記帯状ベース部２から上記シップ薬５に押圧力を作用させることができるため、シップ薬５の貼着面５ａを患部に確実に押し付けることができる。その後、上記シップ薬貼り付け補助具１を患部から離間させることにより、シップ薬の貼り付けが完了する。
【００４０】
図８及び図９に、本願発明の第２の実施の形態を示す。
【００４１】
図８に示すシップ薬貼り付け補助具２１は、図９に示すシップ薬２５に適用されるものである。なお、図８は、要部の拡大断面図であり、その他の部位は、第１の実施の形態と同様であるので説明は省略する。
【００４２】
図９に示すように、上記シップ薬２５は、剥離紙３１をシップ薬本体２５ａの対向する縁部に沿って延出させるとともに、この延出部３１ａに、複数の係合穴３５を設けて構成される。実施の形態では、上記剥離紙３１は、中央部分の分割線３４で分割された形態を備え、上記分割線３４を挟んで対向する側縁部に上記延出部３１ａが形成されている。
【００４３】
一方、上記シップ薬貼り付け補助具２１の板状連結部２９の端縁部には、上記係合穴３５に係合できる係合突起３３を設けた係合部材３２が設けられている。上記係合部材３２は、基端部が金具２８によって上記板状連結部２９に固定される一方、上記係合突起３３を設けた先端部がインテグラルヒンジ２０を介して上記基端部に対して回動可能に形成されており、上記シップ薬２５に沿う回動位置において、上記係合突起３３が、上記剥離紙３１の上記係合穴３５に係合できるように構成されている。
【００４４】
上記操作部２９を離間させるように操作して、上記ベース部２２を伸張させることにより、上記係合部材３２に引っ張られるけようにして上記剥離紙３１が移動させられ、上記シップ薬２５の貼着面２５ａが、中央部分から露出させられる。これにより、シップ薬２５を手の届かない患部に容易に貼り付けることが可能となる。なお、上記シップ薬貼り付け手順は、図５から図７に示す１の実施の形態と同様であるので説明は省略する。
【００４５】
図１０に、本願発明の第３の実施の形態を示す。この実施の形態は、図９に示すシップ薬２５に適用できるシップ薬貼り付け補助具の他の形態を示すものである。
【００４６】
図１０に示すように、この実施の形態に係るシップ薬貼り付け補助具４１では、上記剥離紙３１の延出部３１ａを上記連結部２９の表面と上記係合部３２との間で挟持するとともに、上記連結部２９に上記係合突起３３を収容できる穴部３６を設けたものである。上記構成を採用することにより、延出部３１ａを、上記操作部３により確実に保持して、剥離紙３１を移動させるとこができる。
【００４７】
図１１に、本願発明の第４の実施の形態を示す。この実施の形態は、異なる形状を備える操作部３，５３を設けたものである。
【００４８】
本実施の形態では、上記ベース部２の一方に、第１の実施の形態と同様の操作部３を設ける一方、他方の操作部５３を略リング状に形成している。この実施の形態では、リング状の操作部５３を片手で握持するとともに、上記アーム状の操作部３の握持部６を握持して、シップ薬の貼り付けを行うことができる。なお、シップ薬の貼り付け手順は、第１の実施の形態と同様であるのて説明は省略する。
【００４９】
図１２に、本願発明の第５の実施の形態を示す。
【００５０】
本実施の形態では、上記ベース部２の一方に、第１の実施の形態と同様の操作部３を設ける一方、他方の操作部６３を、板状の連結部６９と、伸縮しない布等で形成されたベルト６７と、リング状の握持部６６とを備えて構成している。
【００５１】
使用者は、上記握持部６及び６６を握持して、シップ薬の貼り付けを行う。一方に、上記ベルト６７を備える操作部６３を設けることにより、上記ベルト６７が使用者の体に応じて変形し、棒状の操作部では貼り付けにくい患部にシップ薬を貼り付けることが可能となる。
【００５２】
図１３及び図１４に本願発明の第６の実施の形態を示す。
【００５３】
この実施の形態は、剥離紙７１を、折り返しながら牽引して移動させるように構成したものである。上記剥離紙７１は、シップ薬本体２５の貼着面２５ａに添着される剥離部７１ｂと、この剥離部７１ｂの中央側縁部から一体的に折り返し延出させられて、上記剥離部７１ｂの表面側に折り重ねられた牽引部７１ａとを備え、上記牽引部７１ａの縁部をシップ薬本体２５の縁部から延出させてに、剥離紙側係合手段を設けたものである。
【００５４】
図１４に示すように、上記構成では、剥離紙が貼着面の中央部分から順次剥がされて互いに重なって側方へ移動していくため、ベース部の伸張長さは上述した実施の形態のものに比べて倍になる。一方、剥離紙を除去する抵抗は小さくなり、力の弱いものでも使用できる。
【００５５】
本願発明は、上述の実施の形態に限定されることはない。実施の形態では、弾性伸縮可能な帯状ベース部に織物を採用したが、ゴムシートを採用することもできる。また、帯状ベース部の全体に伸縮可能な織物を採用したが、一部に弾性伸縮しない材料を組み合わせて構成することもできる。
【図面の簡単な説明】
【００５６】
【図１】本願発明に係るシップ薬貼り付け補助具の第１の実施の形態を示す平面図である。
【図２】図１に示すシップ薬貼り付け補助具にシップ薬を装着する状態を示す平面図である。
【図３】図１に示すシップ薬貼り付け補助具にシップ薬を装着する状態を示す斜視図である。
【図４】図１に示すシップ薬貼り付け補助具にシップ薬を装着して、保護部材を閉じた状態を示す斜視図である。
【図５】図１に示すシップ薬貼り付け補助具を用いてシップ薬を貼り付ける手順を示す要部の断面図である。
【図６】図１に示すシップ薬貼り付け補助具を用いてシップ薬を貼り付ける手順を示す要部の断面図である。
【図７】図１に示すシップ薬貼り付け補助具を用いてシップ薬を貼り付ける手順を示す要部の断面図である。
【図８】本願発明に係るシップ薬貼り付け補助具の第２の実施の形態を示す要部の断面図である。
【図９】図８に示すシップ薬貼り付け補助具に適用できるシップ薬の平面図である。
【図１０】本願発明に係るシップ薬貼り付け補助具の第３の実施の形態を示す要部の断面図である。
【図１１】本願発明に係るシップ薬貼り付け補助具の第４の実施の形態を示す全体斜視図である。
【図１２】本願発明に係るシップ薬貼り付け補助具の第５の実施の形態を示す全体斜視図である。
【図１３】本願発明に係るシップ薬貼り付け補助具の第６の実施の形態を示す要部の断面図である。
【図１４】図１３に示すシップ薬貼り付け補助具でシップ薬の剥離紙を剥がしていく状態を示す断面図である。
【符号の説明】
【００５７】
１  シップ薬貼り付補助具
２  帯状ベース部
３  操作部
４  保護部材
５  シップ薬
【図１】
2007135850.tif 000003
【図２】
2007135850.tif 000004
【図３】
2007135850.tif 000005
【図４】
2007135850.tif 000006
【図５】
2007135850.tif 000007
【図６】
2007135850.tif 000008
【図７】
2007135850.tif 000009
【図８】
2007135850.tif 000010
【図９】
2007135850.tif 000011
【図１０】
2007135850.tif 000012
【図１１】
2007135850.tif 000013
【図１２】
2007135850.tif 000014
【図１３】
2007135850.tif 000015
【図１４】
2007135850.tif 000016
【手続補正書】
【提出日】平成17年11月22日(2005.11.22)
【手続補正１】
【補正対象書類名】図面
【補正対象項目名】全図
【補正方法】変更
【補正の内容】
【図１】
2007135850.tif 000017
【図２】
2007135850.tif 000018
【図３】
2007135850.tif 000019
【図４】
2007135850.tif 000020
【図５】
2007135850.tif 000021
【図６】
2007135850.tif 000022
【図７】
2007135850.tif 000023
【図８】
2007135850.tif 000024
【図９】
2007135850.tif 000025
【図１０】
2007135850.tif 000026
【図１１】
2007135850.tif 000027
【図１２】
2007135850.tif 000028
【図１３】
2007135850.tif 000029
【図１４】
2007135850.tif 000030